(57)【要約】【課題】食器棚，本棚，陳列棚等の種々の収納家具，キャビネット又は部屋の間仕切りにおける引戸において、特に引戸の戸閉側端部付近に近接させることで、その引戸を戸閉側端部に強制的に引き寄せるとともに、その戸閉終了間際における引戸の速度が適正に減速され良好な戸閉動作にする戸閉具を提供すること。【解決手段】弾性部材３によってケーシングＡ内の前方側から後方側に移動する摺動部材1にフック２が枢支連結されること。前記ケーシングＡ内の前後方向両側箇所に亘って配置された無端可撓部材４をその回転方向に対して抵抗力を発生する緩衝部材７が設けられること。前記摺動部材１は前記無端可撓部材４の一部に連結され、前記フック２は前記ケーシングＡの前方側に位置するときのみ前傾状態で仮停止状態が維持されること。  【選択図】図１
2007231524.tif 000002
【特許請求の範囲】
【請求項１】
弾性部材によってケーシング内の前方側から後方側に移動する摺動部材にフックが枢支連結され、前記ケーシング内の前後方向両側箇所に亘って配置された無端可撓部材をその回転方向に対して抵抗力を発生する緩衝部材が設けられ、前記摺動部材は前記無端可撓部材の一部に連結され、前記フックは前記ケーシングの前方側に位置するときのみ前傾状態で仮停止状態が維持されてなることを特徴とする戸閉具。
【請求項２】
上面にフック案内溝を有するケーシングと、該ケーシング内を水平方向に移動する摺動部材と、一部が前記フック案内溝より突出すると共に前記ケーシングにて前記摺動部材に枢支連結されたフックと、前記摺動部材を前記ケーシングの前方側から後方側に向かって移動させるように弾性付勢する弾性部材と、前記ケーシング内の前後方向両側箇所に配置された主案内輪と従案内部と、前記主案内輪と従案内部に巻掛けられると共に前記主案内輪とは常時噛合う無端可撓部材と、前記主案内輪に装着され且つ該主案内輪の回転方向に対して抵抗力を発生する緩衝部材とからなり、前記無端可撓部材の一部と摺動部材が連結され、前記フックは、前記ケーシングの前方側に位置するときのみ前傾状態で仮停止状態が維持されてなることを特徴とする戸閉具。
【請求項３】
請求項１又は２において、前記フックは、被係止片と被当接片とからなり、前記被係止片は被当接片よりも延出方向において短く形成され、且つその被係止片は前記ケーシングの前方側寄りに形成されてなることを特徴とする戸閉具。
【請求項４】
請求項１，２又は３において、前記フックにはガイド突起部が形成され、前記ケーシングの前方側には、前記ガイド突起部を案内して前記フックを垂直面上に揺動させると共に前傾状態に仮停止させる揺動案内部を有するフックガイド部が形成されてなることを特徴とする戸閉具。
【請求項５】
請求項１，２，３又は４において、前記無端可撓部材は、チェーンとし、前記主案内輪は前記チェーンとした無端可撓部材と噛みあうスプロケットとしてなることを特徴とする戸閉具。
【請求項６】
請求項１，２，３，４又は５において、前記無端可撓部材と摺動部材は、前記ケーシングの幅方向において並列配置されると共に、前記無端可撓部材は摺動部材の移動方向と略平行となるようにしてなることを特徴とする戸閉具。
【発明の詳細な説明】
【技術分野】
【０００１】
本発明は、食器棚，本棚，陳列棚等の種々の収納家具，キャビネット又は部屋の間仕切りにおける引戸において、特に引戸の戸閉側端部付近に近接させることで、その引戸を戸閉側端部に強制的に引き寄せるとともに、その戸閉終了間際における引戸の速度が適正に減速され良好な戸閉動作にすることができる戸閉具に関する。
【背景技術】
【０００２】
従来、特許文献１等に見られるような引戸装置が存在している。そして食器棚，本棚，陳列棚等の種々の収納家具には、ガラス窓を備えた引戸が装着されることが多い。この引戸は、小さい間口の収納家具であれば間口箇所の上下にガイドレールが形成され、ガラス板の上下端部がそのガイドレールに挿入された極めて簡単な構造のものでよい。しかし、高級な家具や高級なキャビネットでは、引戸の開き及び閉めの動作にも重厚且つ上品であることが要求される。特に、大型の家具又は部屋の仕切りとして使用される引戸は、特に大型となり、それゆえに、引戸自体の重量も極めて大きくなる。
【特許文献１】特開２００２−１３８７３９号
【発明の開示】
【発明が解決しようとする課題】
【０００３】
このような大型の引戸は、その重量が重いため、引戸が一旦，移動し始めるとその勢いにより、キャビネットの枠に大きな衝撃を有して衝突状に当接するおそれがある。このような状態は、家具の品質を低下させ、高級家具やキャビネットの特性として相応しいものとはいえない。さらに、部屋の仕切りとして使用される引戸においても、動作に静粛さが要望されるものであり、前述したように大きな衝撃を有して戸当たりに衝突状に当接するおそれがあり、このような引戸は、高級な室内では、決して相応しいものとはいえない。また、前述したような引戸の戸閉側端部における戸閉の衝突状態を防止しようとすると、結局，引戸の戸閉動作の勢いをなるべく小さくすることになり、それゆえに引戸の戸閉状態が不完全なものになりやすい。
【０００４】
このようなことも家具の品質を低下させる原因となる。さらに、引戸の戸閉動作における緩衝機能を有するものでは、その装置が大型化することが多く、それゆえに戸閉装置が引戸装置の外部に露出してしまい、余分なスペースを必要とし、且つその外観も損なうことになる。また、引戸を開けるときに、把手の位置によっては、引戸には移動方向にモーメントがかかり、引戸がガイドレールに対して傾斜してしまうことがあり、開閉動作が安定しにくいことがありうる。
【０００５】
このため、本発明が解決しようとする課題（技術的課題又は目的等）は、戸閉終了間際における引戸の速度を適正に減速させて、引戸開閉時における動作を良質なものとし、さらにその戸閉装置の取付けスペースを僅かなものとし、装置の組付けも極めて簡単にすることを実現することである。
【課題を解決するための手段】
【０００６】
そこで、発明者は、上記課題を解決すべく、鋭意，研究を重ねた結果、請求項１の発明を、弾性部材によってケーシング内の前方側から後方側に移動する摺動部材にフックが枢支連結され、前記ケーシング内の前後方向両側箇所に亘って配置された無端可撓部材をその回転方向に対して抵抗力を発生する緩衝部材が設けられ、前記摺動部材は前記無端可撓部材の一部に連結され、前記フックは前記ケーシングの前方側に位置するときのみ前傾状態で仮停止状態が維持されてなる戸閉具としたことにより、上記課題を解決した。
【０００７】
次に、請求項２の発明は、上面にフック案内溝を有するケーシングと、該ケーシング内を水平方向に移動する摺動部材と、一部が前記フック案内溝より突出すると共に前記ケーシングにて前記摺動部材に枢支連結されたフックと、前記摺動部材を前記ケーシングの前方側から後方側に向かって移動させるように弾性付勢する弾性部材と、前記ケーシング内の前後方向両側箇所に配置された主案内輪と従案内部と、前記主案内輪と従案内部に巻掛けられると共に前記主案内輪とは常時噛合う無端可撓部材と、前記主案内輪に装着され且つ該主案内輪の回転方向に対して抵抗力を発生する緩衝部材とからなり、前記無端可撓部材の一部と摺動部材が連結され、前記フックは、前記ケーシングの前方側に位置するときのみ前傾状態で仮停止状態が維持されてなる戸閉具としたことにより、上記課題を解決した。
【０００８】
請求項３の発明は、前述の構成において、前記フックは、被係止片と被当接片とからなり、前記被係止片は被当接片よりも延出方向において短く形成され、且つその被係止片は前記ケーシングの前方側寄りに形成されてなる戸閉具としたことにより、上記課題を解決した。請求項４の発明は、前述の構成において、前記フックにはガイド突起部が形成され、前記ケーシングの前方側には、前記ガイド突起部を案内して前記フックを垂直面上に揺動させると共に前傾状態に仮停止させる揺動案内部を有するフックガイド部が形成されてなる戸閉具としたことにより、上記課題を解決した。
【０００９】
請求項５の発明は、前述の構成において、前記無端可撓部材は、チェーンとし、前記主案内輪は前記チェーンとした無端可撓部材と噛みあうスプロケットとしてなる戸閉具としたことにより、上記課題を解決した。次に、請求項６の発明は、前述の構成において、前記無端可撓部材と摺動部材は、前記ケーシングの幅方向において並列配置されると共に、前記無端可撓部材は摺動部材の移動方向と略平行となるようにしてなる戸閉具としたことにより、上記課題を解決した。
【発明の効果】
【００１０】
請求項１の発明は、緩やかな引戸の戸閉動作を得ることができる。また、使用する引戸装置の引戸の閉じ方向減速距離を長くすることができ、しかもケーシングは、その長手方向において比較的短く形成することが可能となる。請求項２の発明は、引戸の戸閉側端部付近に近接させることで、その引戸を戸閉側端部に強制的に引き寄せると共に、その戸閉終了間際における引戸の速度が緩やかに減速され良好な戸閉動作を得ることができる。さらに戸閉装置を小型なものとし、引戸装置への装着箇所のスペースを小さくすることができる。また、引戸装置への取付等の組付けが簡単である。
【００１１】
請求項３の発明は、固定ガイドとフックとの係止が良好に行なわれる。請求項４の発明は、簡単な構成にて戸閉のための動作をスムーズにすることができる。請求項５の発明によって、無端可撓部材は、チェーンとし、前記主案内輪は前記チェーンとした無端可撓部材と噛みあうスプロケットとしたことで、前記摺動部材の移動を減速させる動作を安定したものにすることができる。次に、請求項６の発明によって、前記ケーシング内において、摺動部材，主案内輪，従案内部及び無端可撓部材等をコンパクトにまとめてケーシング内に収めることができ、それゆえにより一層、戸閉具を小型にすることができる。
【発明を実施するための最良の形態】
【００１２】
以下、本発明の実施形態を図面に基づいて説明する。本発明の戸閉具は、図４に示すように、引戸２０に装着されるものであって、主にケーシングＡ，摺動部材１，フック２，弾性部材３、無端可撓部材４、主案内輪５，従案内部６及び緩衝部材７等から構成される。また、前記引戸２０を案内するガイドレール２２側には、固定ガイド１６が装着される（図１参照）。
【００１３】
そして、前記弾性部材３によってケーシングＡ内の前方側から後方側に移動する摺動部材1にフック２が枢支連結され、前記ケーシングＡ内の前後方向両側箇所に亘って配置された無端可撓部材４をその回転方向に対して抵抗力を発生する緩衝部材７が設けられ、前記摺動部材１は前記無端可撓部材４の一部に連結され、前記フック２は前記ケーシングＡの前方側に位置するときのみ前傾状態で仮停止状態が維持する構造とするものである。
【００１４】
まず、本発明の戸閉具において、前記摺動部材１，フック２，弾性部材３、無端可撓部材４、主案内輪５，従案内部６及び緩衝部材７等が前記ケーシングＡ内部の所定位置に装着されたものである〔図１（Ａ）,（Ｂ）,（Ｃ）参照〕。前記摺動部材１は、ケーシングＡ内を水平方向で且つ該ケーシングＡの前後方向に沿って移動する。前記摺動部材１の摺動本体部１ａには、フック支持部１ｂが形成されている（図２,図３参照）。そして、前記フック支持部１ｂに後述するフック２が垂直面上を揺動自在に装着される。
【００１５】
前記摺動本体部１ａは、後述するケーシングＡ内に形成された摺動室１１に配置され、前記摺動部材１がケーシングＡの前後方向を適正且つ安定した状態で往復移動することができるようになっている〔図１（Ｂ）,（Ｃ）参照〕。この摺動部材１の移動動作は、前記引戸２０の開閉時に行なわれることになる。前記摺動本体部１ａには、後述するコイルスプリング状の弾性部材３の長手方向一端側が連結される摺動側弾性部材連結部１ｃが形成され、該摺動側弾性部材連結部１ｃに弾性部材３の一端側が連結される。
【００１６】
該弾性部材３によって、前記摺動部材１は、ケーシングＡの前方側から後方側に向かって移動させるように、常時，弾性付勢する役目をなしている。すなわち、前記弾性部材３は、戸閉端部付近に到達したときに、前記引戸２０を戸閉方向に移動させる方向に弾性付勢することになるものである。前記摺動部材１には、後述する無端可撓部材４の一部と連結固着する無端可撓部材連結部1ｄが形成されている。
【００１７】
該無端可撓部材連結部1ｄは、図２（Ｄ）に示すように、断面略コ字形状をなしており、前記無端可撓部材４を上下方向に挟持し、ピン部材１ｅによって、前記無端可撓部材連結部1ｄと無端可撓部材４とを貫通するようにして、無端可撓部材連結部1ｄに無端可撓部材４を連結固着するものである。
【００１８】
次に、フック２は、図２（Ｃ）,図３等に示すように、主に、揺動基部２ａ，フック部２ｂ,ガイド突起部２ｃとから構成される。その揺動基部２ａには、前記摺動部材１のフック支持部１ｂに形成された枢支軸１ｂ１ が挿入される枢支孔２ａ１  が形成され、前記枢支軸１ｂ１ が枢支孔２ａ１に挿入されることで、摺動部材１とフック２とが連結され、該フック２は前記摺動部材１に対して垂直面上を揺動自在となる。
【００１９】
そのフック部２ｂは、被係止片２ｂ１ と被当接片２ｂ２ から構成され、前記被係止片２ｂ１は被当接片２ｂ２よりも延出方向において短く形成され、且つ前記被係止片２ｂ１は、前記ケーシングＡの前方側寄りに形成されている。すなわち、前記被係止片２ｂ１ は、被当接片２ｂ２ よりもその高さ方向の寸法が低く形成されている。また、前記被係止片２ｂ１ と被当接片２ｂ２ とは、略平行状態となるように突出している。また、被係止片２ｂ１ と被当接片２ｂ２ との間の形状は略Ｕ字形状の凹み部２ｂ３  となっており、その凹み部２ｂ３ に固定ガイド１６が挿入するものである。
【００２０】
また、前記ガイド突起部２ｃは、後述するケーシングＡに形成されたフックガイド部１２に挿入して、前記フック２をケーシングＡの長手方向に沿って安定した状態で移動させると共に、そのフック２の揺動動作を正確に行わせるように案内する役目をなすものである〔図３（Ｃ）参照〕。そして、前記フック２は、前記揺動支持部２ａを中心として、前記摺動部材１のフック支持部１ｂを水平面上を揺動することができる。
【００２１】
次に、ケーシングＡは、幅方向において２つに分割された２部材から構成されたものであって、第１ケーシング部Ａ１  及び第２ケーシング部Ａ２ とから構成される〔図２（Ｂ）参照〕。前記第１ケーシング部Ａ１  は、第２ケーシング部Ａ２と共に前記摺動部材１，フック２，弾性部材３，無端可撓部材４，主案内輪５，従案内部６及び緩衝部材７が装着されるものである。
【００２２】
前記ケーシングＡの上面には、フック案内溝１３が形成されている。該フック案内溝１３は前記ケーシングＡの前方から後方に亘って形成されたものであり、後述するフック２のフック部２ｂがケーシングＡの上面より突出しながら、前記フック案内溝１３をケーシングＡの前後方向に沿って、移動することができるようになっている〔図１（Ｂ），（Ｃ）参照〕。
【００２３】
その第１ケーシング部Ａ１  と第２ケーシング部Ａ２のそれぞれの内面側には、ガイドベース１０が形成されている。そして、前記第１ケーシング部Ａ１  と、第２ケーシング部Ａ２とを接合することにより両ガイドベース１０，１０によって、前記ケーシングＡ内部上方側に前記摺動部材１が収納される摺動室１１が形成される。前記ケーシングＡと該摺動室１１は、ケーシングＡのフック案内溝１３の直下に位置することになる。
【００２４】
次に、前記フックガイド部１２は、図３に示すように、前述したように、前記フック２のガイド突起部２ｃが挿入し、前記フック２が安定した状態でケーシングＡの前後方向の移動及び揺動動作を案内する部位である。そのフックガイド部１２は、図３（Ｃ）に示すように、直線スリット状に形成された直線摺動案内部１２ａと、且つ前記フック２を揺動させる揺動案内部１２ｂとから構成されている。前記直線摺動案内部１２ａは、前記フック２が摺動部材１とともにケーシングＡ内の摺動室１１を前後方向に移動するときにフック２の移動を支持する役目をなしている。また、揺動案内部１２ｂは、フック２が揺動動作を行うときに安定した状態で移動することができるようになっている。
【００２５】
前記フック２は、図３（Ｂ）,（Ｃ）に示すように、ガイド突起部２ｃが前記揺動案内部１２ｂによって案内されることにより、そのフック２に装着された弾性部材３の弾性力に抗して仮停止状態となる。この仮停止状態は、前記ケーシングＡのフック案内溝１３の前方側で、前記フック２が前傾した状態で留まるものである〔図３（Ｂ）参照〕。
【００２６】
そして、その仮停止状態では、前記フック２は、多少の振動等では動作しないが、前記ケーシングＡの後方側へ向かう押圧力がかけられて、前傾状態から略垂直状態となるときに、前記ガイド突起部２ｃが前記揺動案内部１２ｂから直線摺動案内部１２ａに移動して、仮停止状態が解除され、前記弾性部材３の弾性力にて、前記フック２は、ケーシングＡの後方に移動する〔図５（Ａ）乃至（Ｃ）参照〕。この仮停止状態の解除は、後述する固定ガイド１６にフック２が当接することにより行われる。
【００２７】
前記第２ケーシング部Ａ２ 内には、弾性部材収納部１４が形成されている。また、該弾性部材収納部１４は、略Ｃ字形状の通路が形成されるように、第２ケーシング部Ａ2 の内方から幅方向に沿って壁板が突出するように形成されたものである。そして、その弾性部材収納部１４の終端箇所には、弾性部材連結部１５が形成されている。その弾性部材収納部１４には、前記弾性部材３のコイルスプリング状の弾性部３ａが略横倒し状のＵ字形状に折り曲げられて収納される〔図１（Ｃ）参照〕。特に、前記弾性部材収納部１４において前記弾性部材３がカーブする部分は、円弧状或いはＣ字形状に形成され、その弾性部３ａが前記カーブ箇所においても均一に伸縮可能となるように収納される。
【００２８】
次に、前記ケーシングＡの内面側において、その前後方向両側箇所には主案内輪５と従案内部６とが配置され、前記主案内輪５と従案内部６に無端可撓部材４が巻掛けられている。該無端可撓部材４と摺動部材1は、前記ケーシングＡの幅方向において並列配置されると共に、前記無端可撓部材４は摺動部材１の移動方向と略平行となるようにしている。また、前記無端可撓部材４は、前記弾性部材３とも並列するように配置される〔図１（Ａ），図６等参照〕。さらに、その主案内輪５は、緩衝部材７の軸部７ａに装着されている。その主案内輪５と従案内部６には、スプロケットが使用されている。また、無端可撓部材４は、前記スプロケットとした主案内輪５及び従案内部６に噛み合うチェーンが使用されている。
【００２９】
そして、前記無端可撓部材４は、前記緩衝部材７から前記主案内輪５を介して、その回転方向に対する抵抗力Ｔを発生するものである（図６参照）。前記従案内部６の別の実施形態としては、前記スプロケットとした無端可撓部材４が滑動可能な円弧状の案内面としてもかまわない。また、特に図示しないが、前記無端可撓部材４は、歯付きベルトが使用され、前記主案内輪５及び従案内部６は、歯付きベルトに対応する歯車状のベルト車が使用される実施形態も存在する。
【００３０】
前記緩衝部材７は、軸部７ａが緩衝容器７ｂに装着され、該緩衝容器７ｂにはフランジ７ｃ，７ｃが形成された構造のものである。そのフランジ７ｃ，７ｃを介して緩衝容器７ｂが第２ケーシング部Ａ２ に装着される。その緩衝容器７ｂには、前記軸部７ａに連結された主案内輪５の回転方向に対して抵抗力Ｔを生じる機構となっており、たとえば、内部にグリース等の高粘度の材質があり、軸部７ａの軸に掻き混ぜ専用の板片が装着され、軸部７ａによって伝達された外力に対する抵抗力Ｔを生じるというものである。しかし、この構造に限定されるものではない。その緩衝部材７は、前記弾性部材３の弾性力Ｆを減少させる役目をなすものである。前記弾性部材３の弾性力Ｆは、図６に示すように、緩衝部材７が発生する抵抗力Ｔよりも大きいことが条件であるが、その弾性力Ｆと抵抗力Ｔとの差は適宜に設定される。
【００３１】
前記緩衝部材７によって、前記主案内輪５を介して前記無端可撓部材４は、摺動部材１をケーシングＡ後方側に移動させる弾性力Ｆに対する抵抗力Ｔを生じて、弾性力Ｆから抵抗力Ｔを差し引いた戸閉力Ｐにより、摺動部材１及びフック２をケーシングＡ後方側に移動させるものである（図６参照）。すなわち、引戸２０を支持する引戸案内具は、Ｆ−Ｔ＝Ｐによる力にて移動するものであり、また引戸２０の初速Ｖｎを、固定ガイド１６がフック２と係止した状態から戸閉が完了するまでの戸閉力Ｐによる低速な速度Ｖｍとすることができるものである（図７参照）。
【００３２】
前記摺動部材１は、前述したように、前記弾性部材３と、前記無端可撓部材４の一部とそれぞれ連結している。そして、前記摺動部材１とフック２とは、弾性部材３からの弾性力Ｆと、無端可撓部材４に間接的に連結される緩衝部材７からの抵抗力Ｔとの相反する力を受けるようになっている〔図１（Ａ）参照〕。
【００３３】
次に、固定ガイド１６は、前記戸閉具に装着されたフック２と係止するものである。本発明における戸閉具は、引戸２０に装着され、前記固定ガイド１６は引戸２０が装着されるガイドレール２２の端部箇所付近に設けられる。その引戸装置の構成は、前記引戸２０の上方且つ幅方向の端部箇所に切除部が形成され、その切除部内に前記ケーシングＡが装着される。そして、前記固定ガイド１６は、前記ガイドレール２２の端部で、且つ前記ケーシングＡのフック２と当接可能となる位置に設置される。
【００３４】
前記引戸２０の戸閉側とは、その引戸２０を閉めたときに、キャビネット又は部屋の間仕切りにおける引戸枠に当たる側のことである。その引戸案内具２１は、ハングローラタイプで、走行本体部２１ａとローラ部２１ｂとから構成されている。そのガイドレール２２のレール部２２ａに前記引戸案内具２１のローラ部２１ｂが移動可能に載置されている。
【００３５】
次に、本発明における戸閉装置による引戸２０の戸閉動作を図５に基づいて説明する。まず、引戸２０の戸閉動作を説明すると、摺動部材１とフック２と枢支連結されており、その初期状態でフック２がケーシングＡのフックガイド部１２の揺動案内部１２ｂに係止され、フック２は前記ケーシングＡ前方にて前傾し、仮停止状態にある〔図５（Ａ）参照〕。そして、開き状態の引戸２０が戸閉方向に移動して、前記固定ガイド１６の位置に到達し、該固定ガイド１６が前記フック２に案内されると、前記固定ガイド１６の先端が前記フック２の被当接片２ｂ２ に当接する。
【００３６】
さらに、前記引戸２０が戸閉方向に移動すると、前記固定ガイド１６が被当接片２ｂ２ を押し付けるように作用し、前記フック２が摺動部材１に対して揺動しながら前記ガイド突起部２ｃが前記揺動案内部１２ｂから離脱して直線摺動案内部１２ａに移動して、前記フック２の仮停止状態が解除される。具体的には、前記固定ガイド１６が前記被当接片２ｂ２ を押圧することによって、図２（Ａ）において、前記フック２は時計方向に揺動しながら、前記ガイド突起部２ｃが前記揺動案内部１２ｂから離脱し、前記フック２の仮停止状態を解除すると共に、前記固定ガイド１６が前記被係止片２ｂ１  と被当接片２ｂ２ との間の略Ｕ字形状の凹み部２ｂ３ 内に挿入する〔図５（Ｃ）参照〕。
【００３７】
このようにして、前記フック２は、フック案内溝１３に沿って移動可能な状態となる。さらに、前記フック２が枢支連結されている前記摺動部材１は、前記弾性部材３の弾性力ＦによってケーシングＡの後方側に向かって弾性的に付勢されており、前記弾性部材３の弾性力Ｆによって、前記摺動部材１及びフック２は、前記フック案内溝１３に沿って前記ケーシングＡの後方側に移動しようとする。
【００３８】
一方、前記摺動部材１は、無端可撓部材連結部1ｄを介して前記無端可撓部材４の一部と連結固着されており、前記緩衝部材７の軸部７ａに固着されている主案内輪５に巻き付けられた前記無端可撓部材４が前記摺動部材１をケーシングＡの後方側に移動させる弾性力Ｆに対して、抵抗力Ｔを生じる。そして、前記弾性力Ｆから抵抗力Ｔを差し引いた戸閉力Ｐにより、摺動部材１及びフック２をケーシングＡ後方側に移動させる（図６参照）。
【００３９】
このようにして、前記引戸２０は、Ｆ−Ｔ＝Ｐによる力にて移動するものであり、手動によって、前記引戸２０を戸閉方向に移動させるときの初速Ｖｎは、前記フック２が固定ガイド１６に係止した状態から戸閉が完了するまでの動作を前記戸閉力Ｐによって緩やかな低速とした速度Ｖｍとし、戸閉完了直前の動作を極めて静粛なものにすることができる（図７参照）。
【図面の簡単な説明】
【００４０】
【図１】（Ａ）は戸閉具の横縦平面図、（Ｂ）は（Ａ）のＸ１−Ｘ１矢視断面図、（Ｃ）は（Ａ）のＸ２ −Ｘ２ 矢視断面図である。
【図２】（Ａ）は戸閉具の要部拡大縦断側面図、（Ｂ）は戸閉具の要部拡大縦断正面図、（Ｃ）は摺動部材及びフックの拡大側面図、（Ｄ）は摺動部材及びフックの拡大正面図である。
【図３】（Ａ）はフックが前傾する直前の状態を示す要部拡大縦断側面図、（Ｂ）はフックが前傾して仮停止の状態を示す要部拡大縦断側面図、（Ｃ）は（Ｂ）を背面側からみた状態図である。
【図４】（Ａ）は本発明の戸閉具が引戸装置に装着された状態の一部断面にした状態図、（Ｂ）は本発明の戸閉具が引戸に装着された状態を示す一部断面にした要部拡大図、（Ｃ）は本発明の戸閉具が引戸に装着された状態を示す要部正面図である。
【図５】（Ａ）乃至（Ｃ）は本発明の戸閉具によって引戸の戸閉動作の減速する状態を示す作用行程図である。
【図６】緩衝部材による抵抗力と引戸の戸閉力との関係を示す作用図である。
【図７】引戸の動作を示す作用図である。
【符号の説明】
【００４１】
Ａ…ケーシング、１…摺動部材、３…弾性部材、２…フック、４…無端可撓部材、
５…主案内輪、６…従案内部。
【図１】
2007231524.tif 000003
【図２】
2007231524.tif 000004
【図３】
2007231524.tif 000005
【図４】
2007231524.tif 000006
【図５】
2007231524.tif 000007
【図６】
2007231524.tif 000008
【図７】
2007231524.tif 000009